(57)【要約】【課題】安価に製造するとともに、しかも使用者に選択により睫毛に対して必要な量のマスカラを塗布することができるようにする。【解決手段】キャップ７に固持される液体化粧料塗布体１０の塗布体１３を、芯棒１４と該芯棒１４の側面部１４ａに外接するように装着されるスプリング１５よりなるものであって、該側面部１４ａを面積の異なる３つの長方形の平面１４ｄで連続して形成することで、芯棒の側面部とスプリングとの間で形成される空間の体積が各々相違し、貯留する液体化粧料の量も相違することとなるので、使用者は適宜塗布体の塗布体の空間を選択することで必要なマスカラを簡易且つ確実に塗布することができる。【選択図】図２
2010088532.tif 000002
【特許請求の範囲】
【請求項１】
液体化粧料を貯留する塗布容器本体と、該塗布容器本体の開口部に対して着脱自在となり、液体化粧料塗布体を固持するキャップとから構成され、
該液体化粧料塗布体は、キャップの内部に根元部を嵌合させる軸体と、該軸体の先端に保持される塗布体からなり、
該塗布体は、柱状である芯棒と、該芯棒の側面部に外接するように装着されるスプリングとからなるものであって、
該塗布体の芯棒は、その側面部を、複数の平面、凸状又は凹状の曲面、又はそれらの組み合わせを連続させるとともに、連続する該平面又は曲面間に該芯棒長軸方向全長に亘って外方向に突出する突条縁を配設して形成することを特徴とする液体化粧料塗布容器。
【請求項２】
上記塗布体を、該軸体の軸線に対して傾斜させ、又は湾曲させてなることを特徴とする請求項１記載の液体化粧料塗布容器。
【請求項３】
上記塗布体を、該軸体と一体に形成することを特徴とする請求項１又は２記載の液体化粧料塗布容器。
【発明の詳細な説明】
【技術分野】
【０００１】
本願発明は、例えばマスカラ等の液体化粧料を塗布する際に使用する液体化粧料塗布体をキャップに具えてなる液体化粧料塗布容器に関する。
【背景技術】
【０００２】
例えば、液体化粧料塗布容器のキャップに具えてなる液体化粧料塗布ブラシの塗布体は、繊維を針金で挟持しつつ螺旋状に巻回しつつ形成してなるものが一般的である。
ところが、該液体化粧料塗布ブラシの塗布体は製造コストが高く、使用に際して液体化粧料塗布ブラシに過剰に付着したマスカラを除去するため、塗布体を反復して扱くことにより針金で挟持しつつ螺旋状に巻回される繊維が解れて飛び出し、目等を傷つけるおそれがある。
【０００３】
そのため、安価で、しかもマスカラの塗布に際して目等を傷つけることがないように、マスカラ塗布具の化粧筆軸先端部にスプリングを捲回装着せしめてなるものや、柄に固着した塗布棒の先端へ、ステンレス等の耐腐蝕材からなる線材を螺旋状に螺設された塗布部の端部を止着したものが提案されている。
【特許文献１】実開昭５６−１７００４号公報
【特許文献２】実開昭５７−８１７１２号公報
【０００４】
ところが、上記前者のマスカラ塗布具の化粧筆軸先端部にスプリングを捲回装着せしめてなるものの場合、該化粧筆軸先端部の断面形状が円形であると、化粧筆軸先端部に捲回装着せしめるスプリングはその表面に密着することとなる。その結果、塗布するマスカラが貯留できるのはスプリングのピッチ間だけとなってしまい塗布に必要となるマスカラを十分に確保できず、繰り返して容器本体内に浸漬しなければならず非常に煩雑である。
そこで、一度の塗布に必要となる量のマスカラを確保できるように、スプリングのピッチを拡大したり、化粧筆軸先端部と、該化粧筆軸先端部に捲回装着するスプリングとの間に適当な間隙を設けることも考えられる。
しかしながら、スプリングのピッチを過剰に拡大してしまうと睫毛を一本一本梳きながらマスカラを塗布することは困難となる。また、化粧筆軸先端部と、該化粧筆軸先端部に捲回装着するスプリングとの間に間隙を設けると、塗布に必要な量の液体化粧料を確保できるようになるが、スプリングが化粧筆軸先端部の径方向に対して容易に揺動し易くなるものである。その結果、スプリングの揺動によって均一にマスカラを塗布することができなくなる。
【０００５】
また、柄に固着した塗布棒の先端へ、ステンレス等の耐腐蝕材からなる線材を螺旋状に螺設された塗布部の端部を止着したものの場合、睫毛を挟んで傷つけるようなことはない。
ところが、マスカラはすべて線材を螺旋状に螺設された塗布部内に保持されるので、塗布部におけるマスカラの量は過剰となるので、睫毛に対して不必要に厚くマスカラを塗布することとなるものである。さらに、線材を螺旋状に螺設した塗布部では線径を細くすると塗布部が過剰に柔軟となるので、マスカラを塗布する際に容易に変形してしまって、簡易且つ確実に塗布することができないものである。
【発明の開示】
【発明が解決しようとする課題】
【０００６】
そこで、発明が解決しようとする問題点は、安価で、しかも睫毛に対してマスカラ等の液体化粧料を簡易且つ確実に塗布することができるようにする。
【課題を解決するための手段】
【０００７】
第１の特徴として、
液体化粧料を貯留する塗布容器本体と、該塗布容器本体の開口部に対して着脱自在となり、液体化粧料塗布体を固持するキャップとから構成され、
該液体化粧料塗布体は、キャップの内部に根元部を嵌合させる軸体と、該軸体の先端に保持される塗布体からなり、
該塗布体は、柱状である芯棒と、該芯棒の側面部に外接するように装着されるスプリングとからなるものであって、
該塗布体の芯棒は、その側面部を、複数の平面、凸状又は凹状の曲面、又はそれらの組み合わせを連続させるとともに、連続する該平面又は曲面間に該芯棒長軸方向全長に亘って外方向に突出する突条縁を配設して形成するものである。
【０００８】
そのため、芯棒の側面部と、該芯棒の側面部の突条縁に外接して装着されるスプリングとの間に空間が形成されるものとなる。その結果、該空間内に塗布に必要となる十分な量のマスカラを貯留させることができる。
しかも、塗布体をなすスプリングは外接して装着する芯棒、特に側面部を形成する平面、曲面、又は該平面あるいは曲面等の面間の継ぎ目において芯棒長軸方向全長に亘って配設される外方向に突出する突条縁によって支持されるため、塗布に際してスプリングが揺動したり、又スプリングのピッチが変化することはなく、芯棒に対して安定して装着されるものである。その結果、睫毛に対してマスカラを簡易且つ確実に塗布することができる。
【０００９】
そして、塗布体の側面部は平面や曲面を組み合わせた上で連続させて形成することもできるので、芯棒の側面部全周と、該芯棒の側面部に外接して装着されるスプリングとの間に形成される空間の体積は各々相違するものとなる。即ち、一つの塗布体中において異なる量のマスカラを貯留する空間が形成される。
その結果、一つの塗布体中から様々な量のマスカラを貯留させる空間を選択することができるので、睫毛に対してマスカラを簡易且つ確実に、しかも迅速に塗布することができる。
【００１０】
なお、塗布体をスプリングとともに形成する芯棒部の側面部は、上述のように複数の平面、凸状又は凹状の曲面、又はそれらの組み合わせを連続させて構成するものである。その結果、形成される塗布体の断面形状は、図４において示すように、例えば三角形、四角形、五角形、六角形などの正多角形〔同図（イ）〕、外方向に凹状となる曲面によって形成されるものであって、略三角形、略四角形、略五角形、略六角形などの略凹多角形、外方向に凸状となる曲面によって形成されるものであって、略三角形、略四角形、略五角形、略六角形などの略凸多角形〔同図（ロ）〕、外方向に凸状又は凹状となる曲面によって形成されるものであって、略三角形、略四角形、略五角形、略六角形などの略凹凸多角形〔同図（ハ）、（ニ）〕、不等辺である三角形又は四角形である不等辺多角形〔同図（ホ〕、長方形、星形や楕円形〔同図（ヘ）〕、の他、曲面と平面との組み合わせである扇形〔同図（ト）〕や曲率の異なる凸状又は凹状の曲面との組み合わせ〔同図（チ）〕でも良いものである。
その結果、芯棒の側面部を形成するものが平面であると、芯棒とスプリングとの間に形成される空間は大きくなるため、マスカラの貯留量は多くなるものである。また、芯棒の側面部を形成するものが曲面であると、芯棒とスプリングとの間の間隙は平面の場合に比べて小さくなるため塗布体におけるマスカラの貯留量は少なくなるが、睫毛に対しての追従性が良くなり、マスカラをより確実に塗布することができる。その上、両者を組み合わせたものであると、一つの塗布体の中で上記両者の特質を有する空間が複数形成されるので、使用者は必要に応じていずれかを選択して塗布することができる。
【００１１】
その上、上記芯棒を、例えばエストラマー等の軟質素材によって形成するものでもよい。その結果、芯棒は柔軟となって、マスカラの塗布時には適度に屈撓しながら睫毛等に対して塗布体は弾性を以て密着するので、確実にマスカラを塗布することができる。
【００１２】
そして、第２の特徴として、上記第１の特徴を踏まえて、
上記塗布体を、該軸体の軸線に対して傾斜させ、又は湾曲させるものである。
【００１３】
そのため、塗布体の形状が睫毛の形状に合致するので、マスカラを塗布する睫毛に対して塗布体を満遍なく当接させることができる。その結果、睫毛に対してマスカラを確実に塗布することができるようになる。
その上、塗布体をもって、マスカラを塗布する際には、使用者の肘の位置は下がることから脇を締めて、キャップを把持する手を安定させることができる。その結果、安定して塗布体を動かすことで、簡易且つ確実にマスカラを塗布することができる。
【００１４】
更に、第３の特徴として、上記第１又は第２の特徴を踏まえて、
上記塗布体を、該軸体と一体に形成するものである。
【００１５】
そのため、液体化粧料塗布容器において部品点数を減らすことができる。その結果、液体化粧料塗布容器では部品点数の低減とともに組立作業の作業効率を向上させることができるので、製造コストの低減を図ることができる。
【発明の効果】
【００１６】
本願発明は、部品点数を削減するとともに、塗布体をなす芯棒の側面部に塗布に必要な量のマスカラを十分に貯留させ、しかも一つの塗布体中に貯留する液体化粧料の量を各々相違させる空間を複数存在させることができるので、液体化粧料塗布容器の製造コストの低減化を図って安価に製造できるようになるとともに、使用者の希望に応じて最適な量を有する空間を一つの塗布体から選択することで簡易且つ確実にマスカラを塗布することができるという優れた効果を有する。
【実施例１】
【００１７】
図１乃至図４において示される１は、本願発明の実施例１である液体化粧料塗布容器である。該液体化粧料塗布容器１は、外側面に雄ネジ部４を螺設する開口部３を有し、その内部にマスカラ５を貯留すると共に、後述する軸体１１及び塗布体１３の表面に付着した過剰なマスカラ５を掻き落とすためのシゴキ６を内装する塗布容器本体２と、該塗布容器本体２の開口部３の雄ネジ部４と螺合する雌ねじ部９を内周面に螺設する開口部８を有するとともに、マスカラ５を塗布するために使用する液体化粧料塗布体１０を固持するキャップ７とから構成される。
【００１８】
ここで、上記キャップ７に固持される液体化粧料塗布体１０は、キャップの７内部において後端に形成する根元部１２を嵌合して固持させる軸体１１と、該軸体１１の先端に保持される塗布体１３からなる。
まず、軸体は、その先端に塗布体１３を保持するための保持孔１１ａが穿設されている。
そして、該塗布体１３は、柱状である芯棒１４と、その芯棒１４の側面部１４ａに外接するように装着されるスプリング１５とからなるものである。
ここで、該芯棒１４は、その先端で側面部１４ａに装着されるスプリング１５が脱離することを防止するために外方向に突出するように係止部１４ｂを、その後端では軸体１１の先端に穿設される保持孔１１ａに嵌合して一体に保持させる嵌合部１４ｃを形成するものである。
即ち、該軸体１１と、該軸体１１の先端に保持される塗布体１３とは、塗布体１４の嵌合部１４ｃと軸体１１の嵌合部１１ａとを嵌合させることで、軸体１１に対して塗布体１３を一体に保持するものである。
【００１９】
また、芯棒１４の側面部１４ａは、その側面部１４ａ全周を、該芯棒長軸方向全長に亘り、三枚の面積の異なる長方形の平面１４ｄを連続して形成、即ち芯棒１４の横断面形状が不等辺三角形状とするものである。
このとき、芯棒１４の側面部１４ａを連続して形成する平面１４ｄ同士のつなぎ目には芯棒１４の長軸方向全長に亘り芯棒１４の外方向に突出する突条縁１４ｅが配設されるものである。その結果、芯棒１４の側面部１４ａに外接するように装着されるスプリング１５は、芯棒１４の外方向に揺動することなく該突条縁１４ｅにより支持されるものとなる（図３参照）。
【００２０】
本願発明の実施例１である液体化粧料塗布容器１を構成するキャップ７における塗布体１３は以上の構成を具えるので、マスカラ５を塗布する際には次のようにしてなるものである。
まず、使用者は塗布容器本体２とキャップ７との螺合を解くとともに、塗布容器本体２からキャップ７を引き抜くことで、キャップ７に一体に固持される液体化粧料塗布体１０における軸体１１及び該軸体１１の先端に保持される塗布体１４に過剰に付着しているマスカラ５はシゴキ６によって除去されるものとなる。
そして、塗布容器本体２より引き抜いたキャップ７に固持される液体化粧料塗布体１０における軸体１１の先端に保持される塗布体１３により睫毛に対してマスカラ５を塗布するものである。
このとき、該塗布体１３における芯棒１４は異なる面積を有する長方形の平面１４ｄを連続して形成してなるもの、即ちその横断面形状が不等辺三角形状となっている。その結果、芯棒１４の側面部１４ａと該芯棒１４の側面部１４ａに外接するように装着されるスプリング１５との間で空間１６ａ、１６ｂ、１６ｃが形成されるとともに、該空間１６ａ、１６ｂ、１６ｃの体積は各々相違するものとなる。
そこで、睫毛に対してマスカラ５を厚く塗布しようとする場合には、上記空間１６ａ、１６ｂ、１６ｃのうち最も大きい空間１６ａを、またマスカラ５を薄く塗布しようとする場合には上記空間１６のうち最も小さい空間１６ｃを使用、即ち使用者に希望に応じて空間１６ａ乃至１６ｃを適宜選択してマスカラ５の塗布を行うことによって、使用者は希望通りにマスカラ５を塗布することができるものとなる。
その上、上述のように芯棒１４の側面部１４ａにおいてスプリングを外接するように支持する突条縁１４ｅは、マスカラ５の塗布と同時に塗布体１３を回転させることによって、睫毛に対してカールを与えることができるものである。
【００２１】
なお、キャップ７に固持される液体化粧料塗布体１０における軸体１１の先端に保持する塗布体１３は、使用者の使用状態や睫毛の形質に応じて確実に対応することができ、且つマスカラ５を貯留する様々な容積の空間１６を有する塗布体１３のバリエーションがある〔図４（イ）乃至（チ）参照〕。その結果、使用者は塗布体１３を適宜選択した上で、軸体１１に対して塗布体１３を脱着交換することにより、マスカラ５を簡易且つ確実に塗布することができるものとなる。
【実施例２】
【００２２】
図５において示される７ａ、７ｂは、本願発明の実施例２である液体化粧料塗布容器を構成するキャップである。ここで該キャップ７ａ、７ｂは、実施例１におけるキャップ７と同様に、マスカラ５を塗布するために使用する液体化粧料塗布体１０ａ、１０ｂを固持してなるものである。
【００２３】
しかしながら、実施例１と相違して実施例２では、キャップ７ａ、７ｂに固持する液体化粧料塗布体１０ａ、１０ｂにおける軸体１２の先端に保持される塗布体１３ａ、１３ｂの取付状態又は形状が相違するものである。
【００２４】
即ち、図５（イ）では、キャップ７ａに固持される液体化粧料塗布体１０ａにおいて軸体１１の先端に保持される塗布体１３ａが該軸体１１の軸線方向に対して傾斜して取り付けられているものである。
また、図５（ロ）では、キャップ７ｂに固持される軸体１１の先端に保持される塗布体１４ｂが湾曲しているものである。
その結果、上記塗布体１４ａ、１４ｂはそのまま睫毛に対して密着することとなるため、マスカラ５を塗布する際には肘が下がり脇を締めることができるので手は震えることなく安定しする。その結果、マスカラ５を確実に睫毛に塗布することができるものとなる。
【実施例３】
【００２５】
図６において示される７ｃは、本願発明の実施例３である液体化粧料塗布容器を構成するキャップである。ここで該キャップ７ｃは、実施例１及び実施例２におけるキャップ７、７ａ、７ｂと同様に、液体化粧料塗布体１０’を固持するものである。
【００２６】
しかしながら、実施例１及び実施例２と相違して実施例３では、キャップ７ｃに固持される液体化粧料塗布体１０’の構造が相違するものである。即ち、キャップ７ｃに固持される液体化粧料塗布体１０’において、軸体１１’と、該軸体１１’の先端に保持される塗布体１３’とを一体に形成してなるものである。
【００２７】
このとき、軸体１１’の先端に形成される塗布体１３’は実施例１及び２と同様に芯棒１４’の側面部１４ａ’において、スプリング１５が該側面部１４ａ’の突条縁１４ｅ’によって支持されることから、側面部１４ａにおいてスプリング１５は外接するように装着されるものである。
ところで、芯棒１４’にスプリング１５を装着する際には、軸体１１’の先端に形成される係止部１４ｂ’に軸体１１の長軸方向に沿ってスリット１７が設けられている。そのため、係止部１４ｂ’を外方向に押圧することで芯棒１４’を径小化させた上でスプリング１５を装着した後、係止部１４ｂ’への押圧を解除することで芯棒１４’が元の径に復帰するため、スプリング１５は、軸体１１’の芯棒１４’の側面部１４ａ’より脱落することなく確実に保持されるものとなる。
【００２８】
以上のように、軸体１１’と塗布体１３’の芯棒１４’とを一体に形成するものとすることで、本願発明の液体化粧料塗布容器のキャップ７ｃにおける部品点数を低減させることができ、さらに部品点数の低減とともに製造時の組立作業の作業効率を向上させることで、製造コストの低減化を図ることができる。
【産業上の利用可能性】
【００２９】
必要に応じて一つの塗布体から各々異なる量のマスカラを貯留した空間を選択することができることから、使用者は簡易且つ確実にマスカラを塗布できるようになるので、マスカラの他に白髪染め等も含めた液体化粧料を収容する液体化粧料塗布容器にも適用することができる。
【図面の簡単な説明】
【００３０】
【図１】本願発明の実施例１である液体化粧料塗布容器の全体断面図である。
【図２】本願発明の実施例１である液体化粧料塗布容器におけるキャップの部分断面図である。
【図３】本願発明の実施例１である液体化粧料塗布容器のキャップのＡ−Ａ断面図である。
【図４】本願発明の実施例１である液体化粧料塗布容器における塗布体のバリエーションを示す断面図である。
【図５】本願発明の実施例２である液体化粧料塗布容器のキャップの部分断面図であって（イ）は塗布体の取付状態が傾斜している場合、（ロ）は塗布体の形状が湾曲している場合である。
【図６】本願発明の実施例３である液体化粧料塗布容器のキャップの部分断面図である。
【符号の説明】
【００３１】
１  液体化粧料塗布容器
２  塗布容器本体
３  開口部
４  雄ネジ部
５  マスカラ
６  シゴキ
７、７ａ、７ｂ、７ｃ  キャップ
８  開口部
９  雌ねじ部
１０、１０ａ、１０ｂ、１０’  液体化粧料塗布体
１１、１１’  軸体
１１ａ  保持孔
１２  根元部
１３、１３ａ、１３ｂ、１３’  塗布体
１４、１４’  芯棒
１４ａ、１４ａ’  側面部
１４ｂ、１４ｂ’  係止部
１４ｃ  嵌合部
１４ｄ、１４ｄ’  平面
１４ｅ、１４ｅ’  突条縁
１５  スプリング
１６、１６ａ、１６ｂ、１６ｃ  空間
１７  スリット
【図１】
2010088532.tif 000003
【図２】
2010088532.tif 000004
【図３】
2010088532.tif 000005
【図４】
2010088532.tif 000006
【図５】
2010088532.tif 000007
【図６】
2010088532.tif 000008